(57)【特許請求の範囲】
【請求項１】
前方プラテンによって保持された前方金型と、後方プラテンによって保持された後方金型と、両金型下方に位置する直棒式タイバーに沿って案内される後方プラテンと、前方プラテンに直棒式タイバーによって連結される、後方プラテンの後方に配設したプラテン支持プレートと、後方プラテンおよびプラテン支持プレートに連結している型締駆動機構と、両金型の両側方かつ上方に位置し、先端に係合部を形成した上方に位置する分割式タイバーとから構成した中空成形機の型締装置であって、
前記型締駆動機構は、電動機により回転するディスクと、これに直径方向で相対向して回動可能に連結した一対のリンクアームとを備え、前方のリンクアームを後方プラテンの背部に回動自在に連結し、後方のリンクアームをプラテン支持プレートに回動自在に連結しており、
分割式タイバーは、前方プラテンに装着された前方タイバーと後方プラテンに装着された後方タイバーとからなり、前方タイバーの先端に一方の係合部が形成され、後方タイバーの先端に他方の係合部が形成されていると共に、それら係合部は相互に対向して構成し、前方金型および後方金型の開放時には、電動式の型締駆動機構の作動による後方プラテンの移動で一方の係合部が係合解除した他方の係合部より離脱し、かつ一方の係合部および他方の係合部は前方プラテン、後方プラテン、プラテン支持プレートの移動で離反方向に移行すると共に、前方タイバーに設けたタイバー駆動機構の作動で一方の係合部が後退して両係合部先端が前方金型および後方金型のパーティング面と面一状態となり、前方金型および後方金型の閉鎖時あるいは閉鎖直前には、一方の係合部および他方の係合部は電動式の型締駆動機構の作動による前方プラテン、後方プラテン、プラテン支持プレートの移動で接近方向に移行すると共に、前方タイバーに設けたタイバー駆動機構の作動で一方の係合部が前進して前方金型のパーティング面より突出状態となり、かつ電動式の型締駆動機構の作動によるプラテン支持プレートの移動で一方の係合部が他方の係合部に後方金型のパーティング面近傍にて係合されて分割式タイバーが剛直状になることを特徴とする中空成形機の型締装置。
【発明の詳細な説明】
【０００１】
【発明の属する技術分野】
本発明は、中空成形機の型締装置に関し、詳しくは成形金型間を最大限に開口してパリソンや中空成形品の移動をスムースにできるようにしたものである。
【０００２】
【従来の技術】
中空成形機は、押出機のダイスから吐出されたパリソンを成形金型内に導入して、パリソン内にエアを吹き込んで成形金型の内面に刻設したキャビティによって中空成形品を成形するものであり、成形金型を開放あるいは閉鎖するための型締装置が備えてある。
【０００３】
型締装置は、適宜の可動台に複数本のタイバーが水平に、かつ軸方向へ移動可能に挿通・配置されていて、タイバーの一方端には前方プラテンが、他方端には後方支持プレートが固着されている。また、タイバーにはスライドカラーが嵌合され、このスライドカラーに後方プラテンが連結されている。
【０００４】
前方プラテンには一対の成形金型の前方金型が、また後方プラテンには一対の成形金型の後方金型が装着されている。また、後方プラテンとプラテン支持プレートとの間には型締駆動機構が介在・連結してある。
【０００５】
成形金型は、一対の半割状金型を対面して向き合わせて構成し、この半割状金型同士でパリソンを挟持し、半割状金型は型締駆動機構の操作で互いに開放したり、あるいは閉鎖したりする。
【０００６】
中空成形機の型締装置にあっては、成形金型を保持するプラテンの角隅を貫通する複数本のタイバーが使用されているタイプと、成形金型を保持するプラテンの下方隅部を貫通する複数本のタイバーが使用されているタイプとに大別される。
【０００７】
前者はプラテンの角隅を貫通する複数本のタイバーが使用されているので、成形金型の成形面に充分に高い成形圧を付与できるものの、成形前のパリソンや成形された中空成形品を成形金型の成形面に対して移動する際、パリソンや成形品の大きさ・形状によっては上方に位置するタイバーが邪魔になる場合がある。
【０００８】
後者はプラテンの下方隅部を貫通する複数本のタイバーが使用されているので、成形前のパリソンや成形された中空成形品を成形金型の成形面に対して移動する際に邪魔になるタイバーは無いものの、成形金型の成形面に充分に高い成形圧を付与する点では難がある。
【０００９】
そこで、前者の中空成形機の型締装置において上方に位置するタイバーを分割式として、成形金型を閉鎖する際には、分割したタイバーの端部同士を連結して、成形金型の成形面に充分に高い成形圧を付与できるようにし、成形用金型を開放して、成形前のパリソンや成形された中空成形品を成形金型の成形面に対して移動する際には、連結してあったタイバーを分割してパリソンや中空成形品をスムースに移動できるようにしたものが見られる。
【００１０】
【発明が解決しようとする課題】
このようにタイバーを分割式とした中空成形機の型締装置であっても、分割したタイバーの各々の端部に成形した係合部の構造が複雑、かつ大型となり、これが、成形金型のパーティング面より僅かながらも突出し、そのためパリソンや中空成形品の大きさ・形状によっては、それらを成形金型の成形面より取り出す際に支障をきたす場合が生じ得るものである。また、これに対処するために型締デーライト（成形用金型の型締開閉ストローク）を大きくすると、タイバーが長形になるなど型締装置の全体が大型となり得るものである。
【００１１】
本発明は中空成形機の型締装置であって、型締デーライト（成形用金型の型締開閉ストローク）を必要最小限にすると共に、成形金型間を最大限に開口してパリソンや中空成形品の移動をスムースにできるようにしたものであり、しかも型締後の成形金型に与えられる型締圧力および金型内に掛かる吹込圧力が平衝化し、型締装置の大型化を抑えることができるものである。
【００１２】
【課題を解決するための手段】
本発明は、前方プラテンによって保持された前方金型と、後方プラテンによって保持された後方金型と、両金型下方に位置する直棒式タイバーに沿って案内される後方プラテンと、前方プラテンに直棒式タイバーによって連結される、後方プラテンの後方に配設したプラテン支持プレートと、後方プラテンおよびプラテン支持プレートに連結している型締駆動機構と、両金型の両側方かつ上方に位置し、先端に係合部を形成した上方に位置する分割式タイバーとから構成した中空成形機の型締装置であって、前記型締駆動機構は、電動機により回転するディスクと、これに直径方向で相対向して回動可能に連結した一対のリンクアームとを備え、前方のリンクアームを後方プラテンの背部に回動自在に連結し、後方のリンクアームをプラテン支持プレートに回動自在に連結しており、分割式タイバーは、前方プラテンに装着された前方タイバーと後方プラテンに装着された後方タイバーとからなり、前方タイバーの先端に一方の係合部が形成され、後方タイバーの先端に他方の係合部が形成されていると共に、それら係合部は相互に対向して構成し、前方金型および後方金型の開放時には、電動式の型締駆動機構の作動による後方プラテンの移動で一方の係合部が係合解除した他方の係合部より離脱し、かつ一方の係合部および他方の係合部は前方プラテン、後方プラテン、プラテン支持プレートの移動で離反方向に移行すると共に、前方タイバーに設けたタイバー駆動機構の作動で一方の係合部が後退して両係合部先端が前方金型および後方金型のパーティング面と面一状態となり、前方金型および後方金型の閉鎖時あるいは閉鎖直前には、一方の係合部および他方の係合部は電動式の型締駆動機構の作動による前方プラテン、後方プラテン、プラテン支持プレートの移動で接近方向に移行すると共に、前方タイバーに設けたタイバー駆動機構の作動で一方の係合部が前進して前方金型のパーティング面より突出状態となり、かつ電動式の型締駆動機構の作動によるプラテン支持プレートの移動で一方の係合部が他方の係合部に後方金型のパーティング面近傍にて係合されて分割式タイバーが剛直状になることを特徴としている。
【００１３】
【００１４】
【発明の実施の形態】
以下、本発明の中空成形機の型締装置の実施の形態を図面に基づいて説明する。
【００１５】
【００１６】
【００１７】
【００１８】
【００１９】
【００２０】
【００２１】
【００２２】
【００２３】
【００２４】
【００２５】
【００２６】
【００２７】
【００２８】
【００２９】
【００３０】
【００３１】
【００３２】
【００３３】
【００３４】
【００３５】
【００３６】
【００３７】
【００３８】
【００３９】
【００４０】
【００４１】
【００４２】
【００４３】
図１は本発明の実施形態を示し、この中空成形機の型締装置は、成形金型１を有し、成形金型１は、前方プラテン２ａ，および後方プラテン２ｂを介して２本の直棒式タイバー３１，３２および２本の分割式タイバー４１，４２によって移動または案内されるようになっており、これら直棒式タイバー３１，３２、分割式タイバー４１，４２は成形金型１の外側に配設してある。
【００４４】
成形金型１の一方は前方プラテン２ａに固着した前方金型１ａで、他方は後方プラテン２ｂに固着した後方金型１ｂであり、前方プラテン２ａは直棒式タイバー３１，３２を介してプラテン支持プレート５と連結されている。
【００４５】
図１に示すように、後方プラテン２ｂとプラテン支持プレート５との間には、サーボモータなどの電動機による型締駆動機構６が配置されており、この型締駆動機構６は、電動機により回転するディスク６ｃとこれに直径方向で相対向して回動可能に連結した一対のリンクアーム６ａ、６ｂとを備えている。前方リンクアーム６ａによって後方プラテン２ｂおよび後方金型１ｂを矢印ＢまたはＢ’の方向に、後方リンクアーム６ｂによってプラテン支持プレート５を矢印Ｃまたは矢印Ｃ’の方向に移動させることができる。
【００４６】
なお、後方プラテン２ｂは直棒式タイバー３１，３２に沿ってスライドカラー７１ｂ，７２ｂを介して摺動可能に装着されている。
【００４７】
直棒式タイバー３１，３２は、成形金型１の下方に位置し、その一方端を前方プラテン２ａの下方隅部に締結し、他方端をプラテン支持プレート５の下方隅部に締結してある。
【００４８】
分割式タイバー４１，４２は、前方タイバー４１ａ，４２ａと後方タイバー４１ｂ，４２ｂとからなり、前方タイバー４１ａ，４２ａの先端には一方の係合部４として突型係合部４１１ａ，４２１ａが設けられ、後方タイバー４１ｂ，４２ｂの先端には他方の係合部４としてロック型係合部４１１ｂ ，４２１ｂが設けられており、突型係合部４１１ａ，４２１ａとロック型係合部４１１ｂ ，４２１ｂとが係合して一体化した剛直状のタイバーとなる。
【００４９】
前方タイバー４１ａ，４２ａは、前方プラテン２ａの上方に位置し、前方スライドカラー７１ａ，７２ａを介して摺動可能に装着されている。
【００５０】
後方タイバー４１ｂ，４２ｂは、後方プラテン２ｂおよびプラテン支持プレート５の上方に位置し、固定カラー８１ｂ，８２ｂにより後方プラテン２ｂに固定されスライドブッシュ（図示せず）およびプラテン支持プレート５の後尾スライドカラー７１ｃ、７２ｃを介して摺動可能に装着されている。
【００５１】
前方タイバー４１ａ，４２ａの前方部（係合部の反対側）にはエアシリンダーなどのタイバー駆動機構９を備え、このタイバー駆動機構９を作動させて前方プラテン２ａの移動とは別に前方タイバー４１ａ，４２ａを必要に応じて突出させたり、引っ込ませたりして、突型係合部４１１ａ，４２１ａを前進・後退できるようにしてある。
【００５２】
また、後方タイバー４１ｂ，４２ｂの前方部側は、図２に示すように後方タイバー４１ｂ，４２ｂの先端にロック型係合部４１１ｂ，４２１ｂを開閉自在に軸着し、それに続けて弾発材１２１，１２２を備え、この個所を後方プラテン２ｂの前面に取付けたハウジング１４１，１４２で覆った態様としてある。
【００５３】
なお、符番１３１、１３２は、貫通孔とピンの組合わせによる案内部であり、ロック型係合部４１１ｂ，４２１ｂの開閉をスムーズにさせるものである。
【００５４】
後方タイバー４１ｂ，４２ｂの後部には、移動したプラテン支持プレート５が当接して、タイバー４１ｂ，４２ｂを矢印Ｃ方向に移動することによりロック型係合部４１１ｂ，４２１ｂを、弾性体１２１，１２２を抑制しながらハウジング１４１、１４２内に納めるための係止体１５１，１５２が設けてある。
【００５５】
このロック型係合部４１１ｂ，４２１ｂの各先端は、あらかじめ後方金型のパーティング面１０と面一状態となるように設計・配置してある。
この型締装置の動作を説明する。
【００５６】
成形金型１が開放状態となっている際は、分割式タイバー４１，４２は図１に示すように、この前方タイバー４１ａ，４２ａは、前方プラテン２ａに追随して成形金型１の開放方向に移行していると共に、エアシリンダーなどのタイバー駆動機構９が作動して、突型係合部４１１ａ，４２１ａの各先端が前方金型１ａのパーティング面１０と面一状態となっている。
【００５７】
また、後方タイバー４１ｂ，４２ｂは、後方プラテン２ｂに追随して成形金型１の開放方向に移行していると共に、ロック型係合部４１１ｂ，４２１ｂはあらかじめ設計・配置されたように後方金型１ｂのパーティング面１０と面一状態であり、ハウジング１４１，１４２内の弾性材１２１，１２２の抑止が解除されロック型係合部４１１ｂ、４２１ｂは開放の状態となっている。
【００５８】
この状態から成形金型１を閉鎖状態とするには、先ず、エアシリンダーなどのタイバー駆動機構９を作動させて突型係合部４１１ａ、４２１ａを、金型パーティング面１０より移行して突出させる。突型係合部４１１ａ、４２１ａの突出開始と同時に、電動機による型締駆動機構６を伸長方向に作動させて、前方リンクアーム６ａを介して後方プラテン２ｂを矢印Ｂ′の方向に移動させ、後方リンクアーム６ｂを介してプラテン支持プレート５を同調機構（図示せず）により矢印Ｃの方向に移動させて、プラテン支持プレート５に連結する直棒式タイバー３１、３２を介して前方金型１ａ・前方プラテン２ａを矢印Ａ方向に移動させると共に、後方金型１ｂ・後方プラテン２ｂを矢印Ｂ′の方向に移動させて、図２に示すように、成形金型１が閉鎖されるようにする。
【００５９】
これに伴って、係止体１５１，１５２より距離を有して位置していたプラテン支持プレート５が係止体１５１，１５２に近接し、当接する。
【００６０】
さらに移動を続けると、ロック型係合部４１１ｂ，４２１ｂは、弾性体１２１，１２２を抑制しながらハウジング１４１，１４２内に納められると共に、ロック型係合部４１１ｂ，４２１ｂは、突型係合部４１１ａ、４２１ａを把持して、図３に示すように閉塞の状態にして、係合部４が係合して一体化した剛直状のタイバーとする。これと同時に成形金型１が閉鎖される。
【００６１】
なお、タイバー駆動機構９による突型係合部４１１ａ、４２１ａの移行は、ロック型係合部４１１ｂ、４２１ｂが開放状態であれば、電動機による型締駆動機構６を伸長の作動と同時であってもよい。
【００６２】
次に、成形金型１を閉鎖状態から開放状態にするのは、先ず、電動機による型締駆動機構６を短縮方向に作動させて、前方リンクアーム６ａを介して後方金型１ｂ・後方プラテン２ｂを矢印Ｂの方向に移動させ、後方リンクアーム６ｂを介してプラテン支持プレート５を同調機構（図示せず）により矢印Ｃ’の方向に移動させる。これにより、ロック型係合部４１１ｂ，４２１ｂは、弾性体１２１，１２２の抑制が解除されながらハウジング１４１，１４２内から案内部１３１，１３２に沿って出ると共に、把持していた突型係合部４１１ａ、４２１ａを、図２に示すように開放の状態にして、係合部４を係合から分離して分割状のタイバーとなる。これに伴い、係止体１５１，１５２に当接していたプラテン支持プレート５が、係止体１５１，１５２より離反する。さらに移動を続けると、前方金型１ａ・前方プラテン２ａを矢印方向Ａ′の方向に移動させると共に、後方金型１ｂ・後方プラテン２ｂを矢印Ｂの方向に移動させて図１に示すように成形金型１を開放にさせる。
【００６３】
この状態で、タイバー駆動機構９を作動させて、前方タイバー４１ａ、４２ａを移行させて、突型係合部４１１ａ、４２１ａをロック型係合部４１１ｂ、４２１ｂ内より離脱させて、ほぼ成形金型１のパーティング面１０まで後退させる。
【００６４】
なお、タイバー駆動機構９による突型係合部４１１ａ、４２１ａの移行は、ロック型係合部４１１ｂ、４２１ｂが開放状態であれば、成形金型１の解放後に行ってもよく、あるいはロック型係合部４１１ｂ、４２１ｂの開放直後であってもよい。
【００６５】
本発明の中空成形機の型締装置を上記のように、成形金型と電動機による型締駆動機構と分割式タイバーとから構成し、分割式タイバーは、前方タイバーと後方タイバーとからなり、先端の係合部は相互に対向していると共に、成形金型の開放時には、前方タイバーに設けたタイバー駆動機構の作動により係合部が後退して両係合部先端が前方金型および後方金型のパーティング面と面一状態となると共に、電動機による型締駆動機構の作動による後方プラテン、プラテン支持プレートによって係合部同士の係合が解除され、また、成形金型の閉鎖時あるいは閉鎖直前には、タイバー駆動機構の作動で係合部が前進すると共に、電動機による型締駆動機構の作動による後方プラテン・プラテン支持プレートによってパーティング面近傍にて係合部同士を係合させるものを説明したが、この型締装置にあって、型締駆動機構が単数の電動機によるものに限らず、複数の電動機によるものであってもよく、例えば後方プラテンあるいはプラテン支持プレート側に高速・小減速比タイプの電動機を配し、プラテン支持プレート（あるいは後方プラテン）側に低速・高減速比タイプの電動機を配することにより、成形金型を開放状態から閉鎖状態にする際、最初は高速・小減速比タイプの電動機の作動によって高速閉鎖方向とし、閉鎖に近くは低速・高減速比タイプの電動機の作動によって低速閉鎖を完了させることができる。
【００６６】
タイバー駆動機構の駆動源は、エアーや油圧シリンダによる圧力方式、サーボモータによる電動方式などから適宜選択される。
【００６７】
前方タイバーと後方タイバーとに分割したタイバーの先端の係合部は、図に示したロック方式以外、凹部と凸部による嵌合方式、ねじ嵌合方式、溝と突起による係着方式など前方タイバーと後方タイバーとの近接動作よって着脱可能なものであればよい。
【００６８】
分割式タイバーには、パリソンや中空成形品の大きさ・形状によって、それらを成形金型の成形面より取り出す際に支障をきたさない配置とする。
【００６９】
【発明の効果】
本発明の中空成形機の型締装置を、成形金型と電動機による型締駆動機構と分割式タイバーとから構成し、分割式タイバーは、前方タイバーと後方タイバーとからなり、先端の係合部は相互に対向していると共に、成形金型の開放時には、前方タイバーに設けたタイバー駆動機構の作動により係合部が後退して両係合部先端が成形金型のパーティング面と面一状態となると共に、電動機による型締駆動機構の作動による後方プラテン、プラテン支持プレートによって係合部同士の係合が解除され、また、成形金型の閉鎖時あるいは閉鎖直前には、タイバー駆動機構の作動で前方タイバー側の係合部が前進すると共に、電動機による型締駆動機構の作動による後方プラテン・プラテン支持プレートによってパーティング面近傍にて係合部同士を係合させる構成としてあるので、型締デーライト（成形用金型の型締開閉ストローク）を必要最小限に出来ると共に、成形金型間を最大限に開口してパリソンや中空成形品の移動をスムースに行うことができる。しかも型締後の成形金型に与えられる型締圧力および金型内に掛かる吹込圧力が平衝化し、型締装置の大型化を抑えることができる。
【００７０】
【００７１】
これに加えて、電動機による型締駆動機構とし、かつ係合部がタイバー駆動機構の作動で前進・後退できるようにしてあるので、成形金型を閉鎖させる際、閉鎖開始時は高速とし、閉鎖終了前にスローダウンして閉鎖するなどのコントローラが行ない易いと共に、前進してくる係合部の把握時も低速となるので、確実に係合部同士を係合させることができる。また、成形金型を開放させる際、開放開始時は低速とし、これをスローダウンして開放できると共に、後退する係合部の開放時も低速となるので、安全、かつ確実に係合部同士を開放させることができる。
【００７２】
しかも、型締駆動機構の電動機とタイバー駆動機構の駆動源を同調させコンピューター管理を行うにも好適である。
【図面の簡単な説明】
【図１】  本発明の実施形態にかかる型締装置の正面図。
【図２】  本型締装置の型締動作の第１ステップ。
【図３】  本同型締装置の型締動作の第２ステップ。
【符号の説明】
１…成形金型
１ａ…前方金型
１ｂ…後方金型
２ａ…前方プラテン
２ｂ…後方プラテン
３１，３２…直棒式タイバー
４…係合部
４１，４２…分割式タイバー
４１ａ，４２ａ…前方タイバー
４１ｂ，４２ｂ…後方タイバー
４１１ａ，４２１ａ…雄型係合部、突型係合部
４１１ｂ，４２１ｂ…雌型係合部、ロック型係合部
５…プラテン支持プレート
６…型締駆動機構
６ａ…前方リンクアーム
６ｂ…後方リンクアーム
９…タイバー駆動機構
１０…パーティング面
１２１，１２２…弾性体
１３１，１３２…案内部
１４１，１４２…ハウジング
１５１，１５２…係止体
【図１】
0004671487.tif 000002
【図２】
0004671487.tif 000003
【図３】
0004671487.tif 000004